(57)【要約】【課題】ファイバユニットを接着剤や樹脂を用いてハウジングに固定する必要がなく、しかも、光ファイバをチューブ状の部材に挿通することなく製造できるようにして製造に要する手間や時間を軽減する。【解決手段】光モジュールパッケージ２００はハウジング本体１、カバー体２、第１、第２の保持部材１０，３０およびファイバユニット９を有する。第１、第２の保持部材１０，３０は直接対向状態において、ファイバユニット９の外形寸法に応じたユニット収容部を内側に形成する。ハウジング本体１は、第１、第２の保持部材１０，３０の外表面であって、互いに対向するように配置された２つの対向表面の配置間隔に設定された係止突起４、４、３、３を有し、係止突起４、４、３、３に挟まれたスペースが第１、第２の保持部材１０，３０の収容スペース１６に設定されている。【選択図】図１
2014215607.tif 000002
【特許請求の範囲】
【請求項１】
光導波路が形成された光導波路デバイスと、該光導波路デバイスに接続される光ファイバとがハウジング内に収容され、該ハウジング内において該光ファイバおよび光導波路デバイスがユニット保持部材を用いて保持されている光モジュールパッケージであって、
前記ハウジングは、前記光導波路デバイスと前記光ファイバとを接続したファイバユニットが前記光ファイバを軸芯方向に沿って伸ばしたまま前記ユニット保持部材とともに収容されるハウジング本体と、該ハウジング本体を覆うカバー体とを有し、
前記ユニット保持部材は、第１の保持部材および第２の保持部材からなり、該第１の保持部材および第２の保持部材は、直に接触しながら対向する直接対向状態において前記ファイバユニットを係止した状態で収容し得るユニット収容部を内側に形成し、
前記ハウジング本体または前記カバー体が複数の係止部を有し、該複数の係止部は、前記ユニット保持部材の外表面であって、互いに対向するように配置された２つの対向表面の配置間隔に応じた間隔をおいて形成されるか、または、前記カバー体を前記ハウジング本体にかぶせたときに対向する位置に形成され、かつ前記ハウジング本体または前記カバー体における前記複数の係止部に挟まれたスペースが前記ユニット保持部材の収容スペースに設定されている光モジュールパッケージ。
【請求項２】
前記ハウジング本体が前記複数の係止部を有し、該複数の係止部は、前記ハウジング本体の長手辺に沿った長手方向に沿って離れて配置され、該長手方向に沿った間隔が、前記ユニット保持部材の前記２つの対向表面のうちの長手方向に沿った長手対向面の配置間隔に対応した長さに設定されている請求項１記載の光モジュールパッケージ。
【請求項３】
前記ハウジング本体および前記カバー体がそれぞれ前記複数の係止部を構成する係止部を少なくとも１つ有し、前記ハウジング本体における前記係止部の配置パターンと、前記カバー体における前記係止部の配置パターンとが共通している請求項１記載の光モジュールパッケージ。
【請求項４】
前記ハウジング本体は、概ねＵ字状に形成されたＵ字状体の本体底部に前記複数の係止部を構成する２つの底係止部が形成され、さらに該Ｕ字状体の前記本体底部につながる２つの本体壁部にも前記複数の係止部を構成する壁係止部がそれぞれ形成されている請求項２記載の光モジュールパッケージ。
【請求項５】
前記ハウジング本体は、概ねＵ字状に形成されたＵ字状体の本体底部に前記係止部を構成する底係止部が複数形成され、前記カバー体は、前記ハウジング本体に上側からかぶさり、かつ前記ハウジング本体の前記本体底部につながる２つの本体壁部に外側から密着する２つのカバー壁部および該２つのカバー壁部をつなぐ天端部を有する概ねＵ字状に形成され、該天端部に前記係止部を構成する天端係止部が複数形成されている請求項３記載の光モジュールパッケージ。
【請求項６】
前記カバー体は、前記ハウジング本体に上側からかぶさり、かつ前記本体壁部に外側から密着する２つのカバー壁部および該２つのカバー壁部をつなぐ天端部を有する概ねＵ字状に形成され、該それぞれのカバー壁部に、前記壁係止部に外側から係合する係合部が形成されている請求項４記載の光モジュールパッケージ。
【請求項７】
前記カバー体を前記ハウジング本体にかぶせ、かつ前記本体壁部の前記本体底部につながらない開放端部に前記天端部を接触させたときに、前記天端係止部と前記底係止部との間隔が、前記ユニット保持部材における前記２つの対向表面の配置間隔よりもわずかに小さくなるように構成されている請求項５記載の光モジュールパッケージ。
【請求項８】
前記第１の保持部材および第２の保持部材は、前記ユニット収容部に臨むデバイス受部をそれぞれ有し、前記ファイバユニットは、前記光ファイバが接続されるファイバコネクタが前記光導波路デバイスの両側に接続され、
前記第１の保持部材および第２の保持部材それぞれの前記デバイス受部は、前記光導波路デバイスを係止するデバイス係止部の両側に前記ファイバコネクタを係止するコネクタ係止部が該デバイス係止部から離れた位置に形成され、
前記カバー体は、前記天端係止部が前記デバイス係止部に応じた位置に配置されるが、前記コネクタ係止部に応じた位置には配置されない偏在配置構造を有する請求項５または７記載の光モジュールパッケージ。
【請求項９】
前記ハウジング本体は、槽状体における収容凹部によって前記収容スペースが形成され、該収容凹部に臨む内壁部のうちの、前記ハウジング本体の長手辺に沿った長手方向に沿って配置された長手内壁部によって前記複数の係止部が形成され、かつ前記収容凹部が、深さの深い深底部の外側に該深底部よりも浅い浅底部を備えた段差構造を有し、
前記第１の保持部材が前記槽状体の前記収容凹部に嵌合し、かつ前記凹部の段差構造に応じた形状を有する段差凸部を有し、該段差凸部の前記長手方向に沿った２つの長手端面によって前記２つの対向表面が形成されている請求項１記載の光モジュールパッケージ。
【請求項１０】
前記第２の保持部材は、前記第１の保持部材の前記段差凸部に応じた段差凸部を有し、
前記カバー体は、前記第２の保持部材の前記段差凸部が嵌合する凹部が形成され、前記ハウジング本体と同様の槽状体である請求項９記載の光モジュールパッケージ。
【請求項１１】
前記第１の保持部材および前記第２の保持部材は、ともに柔軟なゴム弾性を有する部材を用いた板状に形成され、そのそれぞれによって前記ファイバユニットを挟み込み、その外側を前記カバー体と前記ハウジング本体によって挟み込み、さらに前記カバー体を前記ハウジング本体に装着したときに、それぞれが前記ハウジング本体、前記カバー体それぞれの凹部に応じて変形しつつ前記ファイバユニットに密着する請求項１０記載の光モジュールパッケージ。
【請求項１２】
前記第１の保持部材および前記第２の保持部材は、ともに前記カバー体と前記ハウジング本体から外側に張出す張出端部を有する請求項３、５、７〜１１のいずれか一項記載の光モジュールパッケージ。
【請求項１３】
前記光ファイバが、前記第１の保持部材および前記第２の保持部材の前記張出端部に接着剤を用いて固着されている請求項１２記載の光モジュールパッケージ。
【発明の詳細な説明】
【技術分野】
【０００１】
本発明は、光導波路デバイスと光ファイバとが接続されたファイバユニットをハウジングに収容した光モジュールパッケージに関する。
【背景技術】
【０００２】
従来、複数に分岐した光導波路が形成された光導波路デバイスと光ファイバとを接続し、ハウジング内に収容した光モジュールパッケージが知られている。
【０００３】
従来、光モジュールパッケージは、光導波路と光ファイバの接続部分における接着剤が水分を吸収し、それによって、光導波路と光ファイバの接着強度が低下するという課題があった。
【０００４】
このような課題を解決するため、従来、光モジュールパッケージを製造するにあたって、光導波路デバイスと光ファイバとを接続したファイバユニットをハウジング内に収容し、接着剤や樹脂を用いてそのファイバユニットをハウジングに固定するという考え方が知られていた（例えば、特許文献１、特許文献２、特許文献３、特許文献４参照）。
【先行技術文献】
【特許文献】
【０００５】
【特許文献１】特開平７−９２３４２号公報
【特許文献２】特開平８−９４８７５号公報
【特許文献３】特開２００６−３０５５２号公報
【特許文献４】特開昭６３−２０５６１７号公報
【特許文献５】特開平１０−２０６６８１号公報
【発明の概要】
【発明が解決しようとする課題】
【０００６】
しかし、上記各特許文献に開示されている光モジュールパッケージの場合、接着剤や樹脂を用いてファイバユニットをハウジングに固定していたため、次のような課題が解決されていなかった。
【０００７】
一般に、接着剤は高価な場合が多い。また、接着剤を用いるときは、光モジュールパッケージを製造する過程で、これが他の部品に付着しないようにするため細心の注意が必要とされ、しかも、接着剤を部材に塗布した後、硬化させる工程も要する。
【０００８】
特に、接着剤を用いてファイバユニットをハウジングに固定しようとするときは、接着剤をハウジングの中に注入等しなければならない。その注入等の際に、ハウジングの余計な箇所に接着剤を付着させてしまうことがあり、それを回避するのに手間を要する。
【０００９】
また、樹脂を用いる場合も、ハウジング内に充填した後に硬化させる工程を要するため、製造するのに手間や時間がかかるという課題があった。
【００１０】
したがって、ファイバユニットを接着剤や樹脂を用いてハウジングに固定する構造の光モジュールパッケージには、製造するのに手間や時間がかかるという課題があった。
【００１１】
一方、ファイバユニットをハウジング内に固定するため、これらとは別のスペーサを用いるという考えもある。
【００１２】
しかし、この場合も、スペーサを接着剤や樹脂を用いてハウジングに固定しなければならないから、製造するのに手間や時間がかかるという課題を解決することはできなかった。
【００１３】
さらに、特許文献１〜４に開示されている光モジュールパッケージは、ハウジングに備えられたチューブ状の部材や挿入孔に光ファイバを挿通する構造であった。そのため、これら従来技術にかかる光モジュールパッケージは、製造する過程で光ファイバの挿通作業が避けられないため、製造するのにいっそう手間や時間を要してしまう。
【００１４】
この点、特許文献５に開示されている光モジュールパッケージであれば、チューブ状の部材等に光ファイバを挿通する作業を不要とすることができる。
【００１５】
しかし、この光モジュールパッケージの場合、ハウジング内にファイバユニットを収容したあと、ハウジングの中に複数種類の樹脂を充填しなければならない。しかも、各樹脂を充填する度に、各樹脂を硬化させる工程を得なければならないから、製造工程に手間がかかるし、時間もかかる。
【００１６】
このように、上記各従来技術では、接着剤や樹脂を用いてファイバユニットをハウジングに固定していたため、製造に必要とされる手間や時間を軽減することが困難であった。
【００１７】
そこで、本発明は、上記課題を解決するためになされたもので、光導波路デバイスと光ファイバとを接続し、ハウジング内に収容した光モジュールパッケージにおいて、ファイバユニットを接着剤や樹脂を用いてハウジングに固定する必要がなく、しかも、光ファイバをチューブ状の部材に挿通することなく製造できるようにして、製造に要する手間や時間を軽減することを目的とする。
【課題を解決するための手段】
【００１８】
上記課題を解決するため、本発明は、光導波路が形成された光導波路デバイスと、その光導波路デバイスに接続される光ファイバとがハウジング内に収容され、そのハウジング内においてその光ファイバおよび光導波路デバイスがユニット保持部材を用いて保持されている光モジュールパッケージであって、ハウジングは、光導波路デバイスと光ファイバとを接続したファイバユニットが光ファイバを軸芯方向に沿って伸ばしたままユニット保持部材とともに収容されるハウジング本体と、そのハウジング本体を覆うカバー体とを有し、ユニット保持部材は、第１の保持部材および第２の保持部材からなり、その第１の保持部材および第２の保持部材は、直に接触しながら対向する直接対向状態においてファイバユニットを係止した状態で収容し得るユニット収容部を内側に形成し、ハウジング本体またはカバー体が複数の係止部を有し、その複数の係止部は、ユニット保持部材の外表面であって、互いに対向するように配置された２つの対向表面の配置間隔に応じた間隔をおいて形成されるか、または、カバー体をハウジング本体にかぶせたときに対向する位置に形成され、かつハウジング本体またはカバー体における複数の係止部に挟まれたスペースがユニット保持部材の収容スペースに設定されている光モジュールパッケージを特徴とする。
【００１９】
上記光モジュールパッケージでは、ファイバユニットが光ファイバを軸芯方向に沿って伸ばしたまま第１、第２の保持部材によるユニット収容部に収容され、その第１、第２の保持部材がハウジング本体の収容スペースに収容される。その際、ハウジング本体の複数の係止部がユニット保持部材の２つの対向表面に当接する。
【００２０】
上記光モジュールパッケージの場合、ハウジング本体が複数の係止部を有し、その複数の係止部は、ハウジング本体の長手辺に沿った長手方向に沿って離れて配置され、その長手方向に沿った間隔が、ユニット保持部材の２つの対向表面のうちの長手方向に沿った長手対向面の配置間隔に対応した長さに設定されているようにすることができる。
【００２１】
このようにすると、複数の係止部がユニット保持部材の長手対向面に当接するから、ユニット保持部材の長手方向の動きが規制される。
【００２２】
また、上記光モジュールパッケージの場合、ハウジング本体およびカバー体がそれぞれ複数の係止部を構成する係止部を少なくとも１つ有し、ハウジング本体における係止部の配置パターンと、カバー体における係止部の配置パターンとが共通しているようにすることができる。
【００２３】
このようにすると、ハウジング本体およびカバー体がそれぞれ係止部を有するから、その両者によってユニット保持部材の動きが規制される。
【００２４】
また、上記光モジュールパッケージにおいて、ハウジング本体は、概ねＵ字状に形成されたＵ字状体の本体底部に複数の係止部を構成する２つの底係止部が形成され、さらにそのＵ字状体の本体底部につながる２つの本体壁部にも複数の係止部を構成する壁係止部がそれぞれ形成されているようにすることができる。
【００２５】
さらに、上記光モジュールパッケージにおいて、ハウジング本体は、概ねＵ字状に形成されたＵ字状体の本体底部に係止部を構成する底係止部が複数形成され、カバー体は、ハウジング本体に上側からかぶさり、かつハウジング本体の本体底部につながる２つの本体壁部に外側から密着する２つのカバー壁部およびその２つのカバー壁部をつなぐ天端部を有する概ねＵ字状に形成され、その天端部に係止部を構成する天端係止部が複数形成されているようにすることができる。
【００２６】
さらにまた、上記光モジュールパッケージにおいて、カバー体は、ハウジング本体に上側からかぶさり、かつ本体壁部に外側から密着する２つのカバー壁部およびその２つのカバー壁部をつなぐ天端部を有する概ねＵ字状に形成され、そのそれぞれのカバー壁部に、壁係止部に外側から係合する係合部が形成されているようにすることができる。
【００２７】
また、カバー体をハウジング本体にかぶせ、かつ本体壁部の本体底部につながらない開放端部に天端部を接触させたときに、天端係止部と底係止部との間隔が、ユニット保持部材における２つの対向表面の配置間隔よりもわずかに小さくなるように構成されていることが好ましい。
【００２８】
さらに、第１の保持部材および第２の保持部材は、ユニット収容部に臨むデバイス受部をそれぞれ有し、ファイバユニットは、光ファイバが接続されるファイバコネクタが光導波路デバイスの両側に接続され、第１の保持部材および第２の保持部材それぞれのデバイス受部は、光導波路デバイスを係止するデバイス係止部の両側にファイバコネクタを係止するコネクタ係止部がそのデバイス係止部から離れた位置に形成され、カバー体は、天端係止部がデバイス係止部に応じた位置に配置されるが、コネクタ係止部に応じた位置には配置されない偏在配置構造を有することが好ましい。
【００２９】
そして、上記光モジュールパッケージにおいて、ハウジング本体は、槽状体における収容凹部によって収容スペースが形成され、その収容凹部に臨む内壁部のうちの、ハウジング本体の長手辺に沿った長手方向に沿って配置された長手内壁部によって複数の係止部が形成され、かつ収容凹部が、深さの深い深底部の外側にその深底部よりも浅い浅底部を備えた段差構造を有し、第１の保持部材が槽状体の収容凹部に嵌合し、かつ凹部の段差構造に応じた形状を有する段差凸部を有し、その段差凸部の長手方向に沿った２つの長手端面によって２つの対向表面が形成されているようにすることができる。
【００３０】
この光モジュールパッケージの場合、槽状体における収容凹部に臨む長手内壁部が、第１の保持部材の２つの長手端面に当接して、第１の保持部材の動きを規制する。
【００３１】
そして、上記光モジュールパッケージの場合、第２の保持部材は、第１の保持部材の段差凸部に応じた段差凸部を有し、カバー体は、第２の保持部材の段差凸部が嵌合する凹部が形成され、ハウジング本体と同様の槽状体であることが好ましい。
【００３２】
また、第１の保持部材および第２の保持部材は、ともに柔軟なゴム弾性を有する部材を用いた板状に形成され、そのそれぞれによってファイバユニットを挟み込み、その外側をカバー体とハウジング本体によって挟み込み、さらにカバー体をハウジング本体に装着したときに、それぞれがハウジング本体、カバー体それぞれの凹部に応じて変形しつつファイバユニットに密着するようにすることもできる。
【００３３】
さらに、第１の保持部材および第２の保持部材は、ともにカバー体とハウジング本体から外側に張出す張出端部を有するようにすることもできる。
【００３４】
また、光ファイバが、第１の保持部材および第２の保持部材の張出端部に接着剤を用いて固着されていることが好ましい。
【発明の効果】
【００３５】
以上詳述したように、本発明によれば、光導波路デバイスと光ファイバとを接続し、ハウジング内に収容した光モジュールパッケージにおいて、ファイバユニットを接着剤や樹脂を用いてハウジングに固定する必要がなく、しかも、光ファイバをチューブ状の部材に挿通することなく製造できるようになり、製造に要する手間や時間を軽減することができる。
【図面の簡単な説明】
【００３６】
【図１】本発明の第１の実施の形態に係る光モジュールパッケージを示す分解斜視図である。
【図２】図１のハウジング本体を短手方向中央で長手方向に沿って切断したときの断面図である。
【図３】一部を破断して示した図１のハウジング本体の要部を示す斜視図である。
【図４】図１のハウジング本体に第１、第２の保持部材を収容した状態を示す正面図である。
【図５】ファイバユニットを収容した状態の第１、第２の保持部材を示す斜視図である。
【図６】ハウジング本体を切断して示したカバー体装着前の光モジュールパッケージの側面図である。
【図７】ハウジング本体とカバー体の一部を破断して示した光モジュールパッケージの斜視図である。
【図８】変形例に係るファイバユニットおよび第１、第２の保持部材を示す分解斜視図である。
【図９】本発明の第２の実施の形態に係る光モジュールパッケージを示す分解斜視図である。
【図１０】図９の光モジュールパッケージを短手方向中央で長手方向に沿って切断したときの断面図である。
【図１１】一部を破断および省略して示した光モジュールパッケージの斜視図である。
【図１２】変形例に係る光モジュールパッケージを示す分解斜視図である。
【図１３】図１２の光モジュールパッケージを短手方向中央で長手方向に沿って切断したときの断面図である。
【図１４】図１２の光モジュールパッケージの斜視図である。
【図１５】本発明の第３の実施の形態に係る光モジュールパッケージを示す分解斜視図である。
【図１６】図１５の光モジュールパッケージを短手方向中央で長手方向に沿って切断したときの断面図である。
【図１７】図１５の光モジュールパッケージの斜視図である。
【図１８】変形例に係る光モジュールパッケージを示す分解斜視図である。
【図１９】図１８の光モジュールパッケージを短手方向中央で長手方向に沿って切断したときの断面図である。
【図２０】図１８の光モジュールパッケージの斜視図である。
【図２１】本発明の第４の実施の形態に係る光モジュールパッケージを示す分解斜視図である。
【図２２】図２１の光モジュールパッケージを短手方向中央で長手方向に沿って切断したときの断面図である。
【図２３】ハウジング本体およびカバー体のそれぞれを一部省略して示した斜視図である。
【図２４】図２１の光モジュールパッケージの要部を示した正面図である。
【図２５】図２１の光モジュールパッケージの斜視図である。
【図２６】変形例に係る光モジュールパッケージを示す分解斜視図である。
【図２７】図２１の光モジュールパッケージにおける第１の保持部材１６０を示す斜視図である。
【図２８】ファイバユニットの概略の構成を示す平面図である。
【発明を実施するための形態】
【００３７】
以下、本発明の実施の形態について図面を参照しつつ説明する。なお、同一要素には同一符号を用い、重複する説明は省略する。
【００３８】
第１の実施の形態
（光モジュールパッケージの構造）
まず、図１〜図７を参照して本発明の第１の実施の形態に係る光モジュールパッケージ２００の構造について説明する。ここで、図１は本発明の第１の実施の形態に係る光モジュールパッケージ２００を示す分解斜視図、図２はハウジング本体１を短手方向中央で長手方向に沿って切断したときの断面図、図３は一部を破断して示したハウジング本体１の要部を示す斜視図である。図４はハウジング本体１に第１、第２の保持部材１０、３０を収容した状態を示す正面図、図５はファイバユニット９を収容した状態の第１、第２の保持部材１０、３０を示す斜視図である。図６はハウジング本体１を切断して示したカバー体装着前の光モジュールパッケージ２００の側面図、図７はハウジング本体１とカバー体２の一部を破断して示した光モジュールパッケージ２００の斜視図である。
【００３９】
光モジュールパッケージ２００は、ハウジング本体１とカバー体２とを有するハウジング１Ａと、ファイバユニット９と、第１の保持部材１０と、第２の保持部材３０とを有している。
【００４０】
光モジュールパッケージ２００は、ハウジング本体１の２つの底係止突起４、４が第１の保持部材１０の側面１０ａ、１０ｂを係止し、４つの壁係止突起３、３，３，３が第１、第２の保持部材１０、３０の側面１０ｃ、１０ｄ、３０ｃ、３０ｄを係止して第１、第２の保持部材１０、３０の動きを規制する。これにより、光モジュールパッケージ２００は、ファイバユニット９を接着剤や樹脂を用いてハウジング１Ａに固定することなく、しかも、光ファイバをチューブ状の部材に挿通することなく製造できるため、製造に要する手間や時間を軽減できる。
【００４１】
ハウジング本体１は、金属またはプラスチックからなり、概ねＵ字状に形成されたＵ字状体である。ハウジング本体１は、図１に示すように、本体底部１ａと、互いに対向する２つの本体壁部１ｂ、１ｃとを有している。ハウジング本体１は、本体底部１ａの内側の短手辺に沿った方向（短手辺に沿った方向を「短手方向」ともいう）の幅（短手幅）がＬに設定されている。また、ハウジング本体１は、第１、第２の保持部材１０、３０とともに、ファイバユニット９の光ファイバ部材６等を所定の長さで収容し得るだけの長さを有している。
【００４２】
そして、本体底部１ａは２つの底係止突起４、４が形成されている。各底係止突起４は、本体底部１ａを外側から内側に向かって局所的に突出させるなどして形成されている（図２参照）。
【００４３】
底係止突起４、４はハウジング本体１の長手辺に沿った方向（長手辺に沿った方向を「長手方向」ともいう）に沿って一直線上に並ぶ位置に配置されている。底係止突起４、４は平面視形状が概ね矩形状であり、４つある側部のうちのひとつ（側部４ａ）が互いに向かい合っている。そして、底係止突起４、４の長手方向に沿った間隔（側部４ａの長手方向に沿った間隔）がＬ４に設定されている。このＬ４は、第１の保持部材１０の後述する配置間隔Ｌ１０に対応している。
【００４４】
ハウジング本体１では、底係止突起４、４に挟まれたスペースが第１、第２の保持部材１０、３０の収容スペース１６に設定されている。
【００４５】
本体壁部１ｂ、１ｃはそれぞれ２つの壁係止突起３、３が形成されている。各壁係止突起３も底係止突起４と同様に、本体壁部１ｂ、１ｃを外側から内側に向かって局所的に突出させるなどして形成されている。
【００４６】
そして、本体壁部１ｂ、１ｃのそれぞれにおいて、２つの壁係止突起３、３の長手方向に沿った間隔がＬ４よりも短い。そのため、すべての壁係止突起３が収容スペース１６に配置されている。また、各壁係止突起３、３の形成されている箇所の高さ（本体底部１ａからの高さ）が第１保持部材１０と第２の接続部分３０が接触する部分の高さに対応している（図４参照）。
【００４７】
さらに、本体壁部１ｂの２つの壁係止突起３、３と、本体壁部１ｃの２つの壁係止突起３、３とが、互いに向き合う位置に配置されている。それぞれの短手方向に沿った間隔が図４に示すＬ３である。このＬ３は、第１の保持部材１０の後述する配置間隔Ｗ１０に対応している。
【００４８】
カバー体２は、ハウジング本体１と同様に、金属またはプラスチックからなり、概ねＵ字状に形成されたＵ字状体である。カバー体２は、天端部２ａと、互いに対向する２つのカバー壁部２ｂ、２ｃとを有し、ハウジング本体１に上側からかぶさる大きさに形成されている。また、天端部２ａの短手幅がハウジング本体１の短手幅Ｌよりわずかながら大きく、カバー壁部２ｂ、２ｃはハウジング本体１の本体壁部１ｂ、１ｃに応じた大きさで形成されている。カバー体２をハウジング本体１にかぶせると、図７に示すように、カバー壁部２ｂ、２ｃがハウジング本体１の本体壁部１ｂ、１ｃに外側から密着し、天端部２ａによってハウジング本体１の上面が覆われる。
【００４９】
そして、カバー壁部２ｂ、２ｃにはそれぞれ２つの係合突起８、８が形成されている。各係合突起８は、壁係止突起３と同様に、カバー壁部２ｂ、２ｃを外側から内側に向かって局所的に突出させるなどして形成されている。また、各係合突起８は各壁係止突起３に対応した位置に配置され、それぞれの形状も各壁係止突起３に対応している。カバー体２をハウジング本体１にかぶせると、各係合突起８が各壁係止突起３に外側から係合する。
【００５０】
ファイバユニット９は、光導波路デバイス５に光ファイバ部材６と、テープ状光ファイバ部材７とが接続され、これらが一つにまとまっている。
【００５１】
光導波路デバイス５は、図２８に示すように、光導波路５ａが形成された光導波路基板５ｂと、ファイバコネクタ５ｃ、５ｄとを有し、これらが一体となった構造を有している。
【００５２】
光導波路５ａは、単心の導波路コアから多心の導波路コアが分岐するように形成されている。光導波路５ａによって、単心の導波路コアから入射した光を多心の導波路コアに均等に分岐させることができる。
【００５３】
ファイバコネクタ５ｃは単芯の光ファイバ部材６が接続されるコネクタで、図示しない接着剤を用いて光導波路基板５ｂの一端部に固定されている。ファイコネクタ５ｄは多芯のテープ状光ファイバ部材７が接続されるコネクタで、図示しない接着剤を用いて光導波路基板５ｂの他端部に固定されている。
【００５４】
光ファイバ部材６は単芯の光ファイバの周囲を被覆材で覆った構造を有している。テープ状光ファイバ部材７は互いに平行に配置された複数本（例えば８本）の光ファイバの周囲を被覆材で覆い、テープ状にした構造を有している。
【００５５】
次に、第１の保持部材１０、第２の保持部材３０について、主に図１を参照しながら説明する。図示した第１、第２の保持部材１０、３０は、共通する形状を有しているが、それぞれの形状は共通でなくてもよい。ただし、第１、第２の保持部材１０、３０は、それぞれの後述する凸部１１、１３、３１、３３の表面を直に接触させながら対向させた状態（この状態を直接対向状態ともいう）において、後述するユニット収容部１５を側面１０ａ，１０ｂ，１０ｃ，１０ｄよりも内側に形成する。
【００５６】
第１、第２の保持部材１０、３０は、本発明に係るユニット保持部材１０３を構成している。第１、第２の保持部材１０、３０は、柔軟なゴム弾性を有する部材を用いて形成されている。例えば、第１、第２の保持部材１０、３０は、工業用ゴムパッキング材として使用されるクロロプレンゴム、ブチルゴム、クロロスルホン化ポリエチレンゴム、エチレンプロピレンゴム、アクリルニトリルゴム、多硫化ゴム、天然ゴム、その他シリコンゴム、フッ素ゴム、ポリアクリルゴム、ポリウレタンゴム等のゴムを用いて形成することができる。
【００５７】
第１の保持部材１０は、ハウジング本体１に収容し得る大きさの厚肉板状体である。第１の保持部材１０は、４つの側面１０ａ，１０ｂ，１０ｃ，１０ｄによって囲まれている。
【００５８】
第１の保持部材１０は、長手方向両側に２つの凸部１１、１３を有し、その間の部分が凸部１１、１３よりも窪んだデバイス受部１２となっている。凸部１１は、その表面１１ｃに幅の狭い溝状のファイバ受部１１ａが形成されている。ファイバ受部１１ａは光ファイバ部材６の外形に応じた形状に形成されている。凸部１３は、その表面１３ｃに幅の広い溝状のファイバ受部１３ａが形成されている。ファイバ受部１３ａはテープ状光ファイバ部材７の外形に応じた形状に形成されている。デバイス受部１２は、光導波路デバイス５の外形寸法に応じた形状（詳しくは、長手方向の寸法が共通するが、厚さはほぼ半分）を有している。デバイス受部１２に臨む端面１１ｂ、１３ｂが光導波路デバイス５の長さに応じた間隔を隔てて配置されている。
【００５９】
そして、第１の保持部材１０では、４つの側面１０ａ，１０ｂ，１０ｃ，１０ｄのうち、側面１０ａ、１０ｂが対向し、側面１０ｃ、１０ｄが対向している。側面１０ａ、１０ｂが本発明における対向表面に相当し、側面１０ｃ、１０ｄも同じく対向表面に相当する。これらのうち、側面１０ａ、１０ｂは長手方向に沿って離れて配置されているから、本発明における長手対向面に相当し、側面１０ｃ、１０ｄは短手方向に沿って離れて配置されているから、短手対向面に相当する。
【００６０】
また、図５に示すように、側面１０ａ、１０ｂの配置間隔がＬ１０に設定されている。配置間隔Ｌ１０は第１の保持部材１０の長さであり、底係止突起４、４の間隔Ｌ４に対応している。さらに、側面１０ｃ、１０ｄの配置間隔がＷ１０に設定されている。配置間隔Ｗ１０は、第１の保持部材１０の幅であり、壁係止突起３、３の間隔Ｌ３に対応している。
【００６１】
第２の保持部材３０も、第１の保持部材１０と同様の厚肉板状体である。第２の保持部材３０は、４つの側面３０ａ，３０ｂ，３０ｃ，３０ｄによって囲まれている。
【００６２】
第２の保持部材３０は、長手方向両側に２つの凸部３１、３３を有し、その間の部分がデバイス受部１２と同様のデバイス受部３２となっている。凸部３１は、その表面３１ｃにファイバ受部１１ａと同様のファイバ受部３１ａが形成されている。凸部３３は、その表面３３ｃにファイバ受部１３ａと同様のファイバ受部３３ａが形成されている。
【００６３】
第２の保持部材３０は第１の保持部材１０と共通する形状を有しているので、第１の保持部材１０と同じ長さおよび同じ幅を有している。
【００６４】
そして、第１の保持部材１０と第２の保持部材３０とは、図５に示すように凸部１１と凸部３１、凸部１３と凸部３３の表面をそれぞれ直に接触させながら対向させることができる。このとき、ファイバ受部１１ａ、３１ａと、デバイス受部１２、３２と、ファイバ受部１３ａ、３３ａとが一つにつながった空間が形成される。この空間がユニット収容部１５である。ファイバ受部１１ａ、３１ａが光ファイバ部材６に応じた形状を有し、ファイバ受部１３ａ、３３ａがテープ状光ファイバ部材７に応じた形状を有する。また、デバイス受部１２、３２が光導波路デバイス５の外形寸法に応じた形状を有している。そのため、ユニット収容部１５はファイバユニット９の外形寸法に応じたものとなり、ファイバユニット９をデバイス受部１２，３２などにより係止した状態で収容し得る形状になる。
【００６５】
以上のような一対の第１、第２の保持部材１０、３０およびファイバユニット９がハウジング本体１に収容され、その上からカバー体２をかぶせることによって、光モジュールパッケージ２００が構成されている。
【００６６】
この場合、例えばまず、第１の保持部材１０をハウジング本体１の収容スペース１６に収容し、続いて、その第１の保持部材１０にファイバユニット９を収容する。その際、デバイス受部１２に光導波路デバイス５を嵌め込み、これと相前後して光ファイバ部材６およびテープ状光ファイバ部材７をそれぞれファイバ受部１１ａ、１３ａに嵌め込む。
【００６７】
次に、凸部１１、１３の表面１１ｃ、１３ｃに、凸部３１、３３の表面３１ｃ、３３ｃを直に接触させるようにして、第２の保持部材３０を第１の保持部材１０に重ね合わせる。すると、第１、第２の保持部材１０、３０によってユニット収容部１５が形成されるので、図５に示したように、ファイバユニット９を第１、第２の保持部材１０、３０によって挟みつつ保持できる。
【００６８】
それから、ハウジング本体１にカバー体２をかぶせて係合突起８、８を壁係止突起３、３に嵌め込み、両者を係合させる。すると、図７に示したように、天端部２ａによって、第１、第２の保持部材１０，３０が覆われる。また、壁部２ｂ、２ｃがハウジング本体１の本体壁部１ｂ、１ｃに外側から密着して、ハウジング本体１とカバー体２とが一体になる。こうして、光モジュールパッケージ２００が完成する。
【００６９】
なお、前述の手順と異なり、予め第２の保持部材３０をカバー体２に収容しておいてもよい。また、予め第１、第２の保持部材１０，３０によってファイバユニット９を保持しておき、これらをひとまとめにしてハウジング本体１に収容してもよい。
【００７０】
（光モジュールパッケージ２００の作用効果）
以上のように、光モジュールパッケージ２００では、図５に示したように、ファイバユニット９が第１、第２の保持部材１０、３０によって挟まれつつ保持され、その状態でハウジング本体１に収容されている。
【００７１】
ハウジング本体１は概ねＵ字状体であり、本体壁部１ｂ、１ｃに挟まれた細長いスペースに対して、ファイバユニット９を直接出し入れすることができる。そのため、ハウジング本体１は光ファイバ部材６およびテープ状光ファイバ部材７を曲げることなく軸芯方向に沿って伸ばしたまま、ファイバユニット９をハウジング本体１に収容できる。したがって、光モジュールパッケージ２００では、ファイバユニット９をハウジング本体１に収容するにあたって、光ファイバ部材６等をチューブ状の部材に挿通する必要がないから、光モジュールパッケージ２００は、製造に要する手間や時間を軽減することができる。
【００７２】
また、第１、第２の保持部材１０、３０がファイバユニット９を挟みつつ保持している。この場合、第１、第２の保持部材１０、３０のデバイス受部１２，３２が光導波路デバイス５の外形寸法に応じた形状を有し、端面１１ｂ、１３ｂが光導波路デバイス５の長さに応じた間隔を隔てて配置されている。そのため、端面１１ｂ、１３ｂが光導波路デバイス５に当接して、これを長さ方向両側から挟み込む。こうして、光導波路デバイス５が長手方向に動かないようにその動きを第１、第２の保持部材１０、３０によって規制できる。
【００７３】
そして、ハウジング本体１には、収容スペース１６が確保されている。この収容スペース１６は、前述したように、底係止突起４、４に挟まれたスペースである。そして、底係止突起４、４の長手方向に沿った間隔がＬ４であり、この間隔Ｌ４は、第１の保持部材１０の配置間隔Ｌ１０に対応している。
【００７４】
そのため、第１、第２の保持部材１０、３０を収容スペース１６に収容でき、しかも、第１の保持部材１０を長手方向両側で底係止突起４、４の側部４ａ、４ａに当接させることができる。また、すべての壁係止突起３が収容スペース１６の内側に配置されていて、しかも、壁係止突起３、３の短手方向に沿った間隔Ｌ３が第１の保持部材１０の配置間隔Ｗ１０に対応している。そのため、第１の保持部材１０を短手方向両側で壁係止突起３、３に当接させることもできる。
【００７５】
すると、底係止突起４、４によって、第１の保持部材１０を長手方向両側から挟み、長手方向に動かないように動きを規制することができる。さらに、壁係止突起３、３によって、第１の保持部材１０を短手方向両側から挟み、短手方向に動かないように動きを規制することもできる。また、壁係止突起３、３の高さが第１保持部材１０と第２の接続部分３０が接触する部分の高さに対応しているから、第１の保持部材１０とともに、第２の保持部材３０を短手方向に動かないように動きを規制することもできる。
【００７６】
したがって、光モジュールパッケージ２００は、前述のようにして、ファイバユニット９、第１、第２の保持部材１０、３０をハウジング本体１に収容すれば、あとはカバー体２をかぶせるだけで製造することができる。光モジュールパッケージ２００は、ファイバユニット９を接着剤や樹脂を用いてハウジング１Ａに固定する必要がないので、製造に要する手間や時間をよりいっそう軽減することができる。
【００７７】
さらに、カバー体２の係合突起８、８を壁係止突起３、３に嵌合させることで、接着剤や樹脂を用いることなくカバー体２とハウジング本体１とを一体化できるから、製造に要する手間や時間をよりいっそう軽減できる。
【００７８】
（変形例）
図８を参照して変形例に係る第１、第２の保持部材４０、５０について説明する。第１、第２の保持部材４０、５０は、第１、第２の保持部材１０、３０と比較して、デバイス受部１２，３２の代わりにデバイス受部４２，５２を有する点で相違している。
【００７９】
デバイス受部４２，５２は、デバイス受部１２，３２と比較して、光導波路デバイス５が嵌合する凹部である点で相違している。デバイス受部４２，５２は、長手方向だけでなく、短手方向からも光導波路デバイス５に当接し、光導波路デバイス５を長手方向、短手方向の双方から係止する。そのため、第１、第２の保持部材４０、５０を用いることによって、光導波路デバイス５の動きがより確実に規制され、ファイバユニット９をより確実に保持できるようになる。
【００８０】
また、以上の説明では、図４に示したように、１つの壁係止突起３が第１、第２の保持部材１０、３０の双方を係止していた。これに対し、図示はしないが、壁係止突起３を高さ方向に沿って２つ形成し、そのそれぞれの壁係止突起３によって、第１の保持部材１０、第２の保持部材３０をそれぞれ係止してもよい。こうすると、ハウジング１Ａによる第１、第２の保持部材１０、３０の保持の強度が向上する。
【００８１】
さらに、底係止突起４、４の間隔Ｌ４を第１の保持部材１０の配置間隔Ｌ１０よりも若干大きくしてもよい。こうすると、底係止突起４、４と、第１の保持部材１０との間に若干の隙間が生まれるから、第１の保持部材１０の熱膨張に伴う寸法の拡大を吸収できるようになる。
【００８２】
さらにまた、ハウジング本体１と、カバー体２がそれぞれ壁係止突起３、係合突起８を有していた。ハウジング本体１と、カバー体２は、それぞれ壁係止突起３、係合突起８を有する代わりに後述する係止孔１５３、係合爪１５８のような係止孔、係合爪を有していてもよい。
【００８３】
第２の実施の形態
（光モジュールパッケージの構造）
まず、図９〜図１１を参照して本発明の第２の実施の形態に係る光モジュールパッケージ３００の構造について説明する。ここで、図９は本発明の第２の実施の形態に係る光モジュールパッケージ３００を示す分解斜視図、図１０は光モジュールパッケージ３００を短手方向中央で長手方向に沿って切断したときの断面図、図１１は一部を破断および省略して示した光モジュールパッケージ３００の斜視図である。
【００８４】
光モジュールパッケージ３００は、ハウジング本体６０とカバー体１００とを有するハウジング１０６と、ファイバユニット８９と、第１の保持部材７０、第２の保持部材９０とを有している。
【００８５】
光モジュールパッケージ３００は、ハウジング本体６０の２つの長手内壁部６３ｂｂ、６３ｂｂが第１の保持部材７０の長手端面７３ｂｂ、７３ｂｂを係止して第１の保持部材７０の動きを規制する。これにより、光モジュールパッケージ３００は、ファイバユニット８９を接着剤や樹脂を用いてハウジング１０６に固定することなく、しかも、光ファイバをチューブ状の部材に挿通することなく製造できるため、製造に要する手間や時間を軽減できる。
【００８６】
ハウジング本体６０は、金属またはプラスチックからなり、槽状体の表側に収容凹部６３が形成された構造を有している。ハウジング本体６０は、長手方向両側に、表面の平坦な２つの平端部６１、６２を有し、その間の部分が平端部６１、６２よりも窪み、かつ平端部６１、６２および周壁部６０ｄによって周囲を囲まれた収容凹部６３となっている。
【００８７】
平端部６１は、その表面６１ｃに幅の狭い溝状のファイバ受部６１ａが形成されている。ファイバ受部６１ａは光ファイバ部材６の外形に応じた形状に形成されている。平端部６２は、その表面６２ｃに幅の広い溝状のファイバ受部６２ａが形成されている。ファイバ受部６２ａはテープ状光ファイバ部材７の外形に応じた形状に形成されている。
【００８８】
収容凹部６３は、深さが深い深底部６３ｂと、２つの浅底部６３ａ、６３ａとを有している。収容凹部６３は、第１の保持部材７０の収容スペースとしての機能を有している。
【００８９】
深底部６３ｂには、長手方向中央に係止凸部６３ｃが形成されている。浅底部６３ａ、６３ａは、深底部６３ｂの外側両方向に配置され、深さが深底部６３ｂよりも浅く形成されている。深底部６３ｂと浅底部６３ａ、６３ａとをつなぐ部分が切り立った段差となっているため、収容凹部６３は、かかる段差を備えた段差構造を有している。そして、収容凹部６３に臨む内壁部のうちの、ハウジング本体６０の長手方向に沿って配置された長手内壁部６３ｂｂ、６３ｂｂが、第１の保持部材７０の移動を規制する係止部としての機能を有している。
【００９０】
さらに、ハウジング本体６０は、係合突起６４ａを備えた本体係合部６４を４つ備えている。
【００９１】
次に、第１の保持部材７０、第２の保持部材９０について、主に図９を参照しながら説明する。図示した第１の保持部材７０と、第２の保持部材９０とは、共通する形状を有している。ただし、両者は異なった形状を有していてもよい。
【００９２】
第１、第２の保持部材７０、９０は、それぞれの後述する接触端部７１、７２、９１、９２の表面を直に接触させながら対向させた状態（この状態を直接対向状態ともいう）において、後述するデバイス受部７３，９３等によってユニット収容部７５を形成する。ユニット収容部７５は、図１０に示すように、ファイバユニット８９をデバイス受部７３，９３等により係止した状態で収容し得る形状を有している。
【００９３】
第１、第２の保持部材７０、９０は、第１、第２の保持部材１０、３０と同様に、工業用ゴムパッキング材として使用されるクロロプレンゴム等を用いて形成されている。
【００９４】
第１の保持部材７０は、長手方向両側に２つの接触端部７１、７２を有し、その間の部分が接触端部７１、７２よりも窪み、かつ接触端部７１、７２および周壁部７０ｄに囲まれたデバイス受部７３となっている。
【００９５】
接触端部７１は、その表面７１ｃに幅の狭い溝状のファイバ受部７１ａが形成されている。ファイバ受部７１ａは光ファイバ部材６の外形に応じた形状に形成されている。接触端部７２は、その表面７２ｃに幅の広い溝状のファイバ受部７２ａが形成されている。ファイバ受部７２ａはテープ状光ファイバ部材７の外形に応じた形状に形成されている。
【００９６】
デバイス受部７３は、光導波路デバイス８０の外形寸法に応じた形状（詳しくは、長手方向の寸法が共通するが、厚さはほぼ半分）を有している。デバイス受部７３は、底部７３ｂと、長さ方向中央に配置された係止凸部７３ｃとを有している。
【００９７】
また、デバイス受部７３の裏面側が段差凸部７０ｅとなっている。この段差凸部７０ｅの長手方向に沿って離れた端面が長手端面７３ｂｂ、７３ｂｂになっている。この段差凸部７０ｅは、収容凹部６３に嵌合し、かつ収容凹部６３の段差構造に応じた形状を有している。また、長手端面７３ｂｂ、７３ｂｂの配置間隔が長手内壁部６３ｂｂ、６３ｂｂの配置間隔に対応し、各長手端面７３ｂｂの形状が長手内壁部６３ｂｂの形状に対応している。
【００９８】
第２の保持部材９０は、長手方向両側に２つの接触端部９１、９２を有し、その間の部分が接触端部９１、９２よりも窪んだデバイス受部９３となっている。接触端部９１は、その表面９１ｃにファイバ受部７１ａと同様のファイバ受部９１ａが形成されている。接触端部９２は、その表面９２ｃにファイバ受部７２ａと同様のファイバ受部９２ａが形成されている。デバイス受部９３は、デバイス受部７３と共通する形状を有し、段差凸部７０ｅに応じた段差凸部９０ｅを有している。
【００９９】
以上のような第１、第２の保持部材７０、９０は、接触端部７１と接触端部９１、接触端部７２と接触端部９２の表面をそれぞれ直に接触させながら対向させることができる。すると、図１０に詳しく示すように、ファイバ受部７１ａ、９１ａと、デバイス受部７３、９３と、ファイバ受部７２ａ、９２ａとが一つにつながった空間が第１、第２の保持部材７０、９０の内側に形成される。この空間がユニット収容部７５である。
【０１００】
ファイバ受部７１ａ、９１ａが光ファイバ部材６に応じた形状を有し、ファイバ受部７２ａ、９２ａがテープ状光ファイバ部材７に応じた形状を有する。また、デバイス受部７３、９３がともに光導波路デバイス８０の外形寸法に応じた形状を有している。そのため、これらによって形成されるユニット収容部７５はファイバユニット８９をデバイス受部７３、９３等によって係止した状態で収容し得る形状を有する。
【０１０１】
ファイバユニット８９は、図９に示したように、光導波路デバイス８０に光ファイバ部材６と、テープ状光ファイバ部材７とが接続され、これらが一つにまとまっている。光導波路デバイス８０は、光導波路デバイス５と比較して外形が異なるが、その他は同じである。
【０１０２】
光導波路デバイス８０は、平端部８０ａ，８０ａの間に凹部８０ｂが形成されている。そして、ファイバユニット８９がユニット収容部７５に収容されたときに、平端部８０ａ，８０ａの長手方向の接触端部８０ｄ、８０ｄがデバイス受部９３に当接し、これにより、デバイス受部９３によって長手方向の動きが規制される。また、デバイス受部９３によって短手方向の動きも規制される。さらに、凹部８０ｂと、裏側の凸部８０ｃがそれぞれ係止凸部９３ｃ、７３ｃに当接するから、光導波路デバイス８０はデバイス受部７３，９３によって上下方向の動きも規制される。
【０１０３】
カバー体１００は、ハウジング本体６０と比較して、係合孔１０４ａを備えたカバー係合部１０４を本体係合部６４の代わりに有する点で異なるが、そのほかはハウジング本体６０と同様の構造を備えた槽状体である。ただし、カバー体１００は、表側の形状を変えるなどしてハウジング本体６０と異なる形状にしてもよい。
【０１０４】
カバー体１００は、収容凹部６３と同様の収容凹部１０３が形成されている。収容凹部１０３は、係止凸部６３ｃと同様の係止凸部１０３ｃが形成されている。収容凹部１０３は、段差凸部９０ｅが嵌合する形成を有している。また、カバー体１００は、ファイバ受部６１ａ、６２ａと同様の図示しないファイバ受部が形成され、長手内壁部６３ｂｂ、６３ｂｂと同様の長手内壁部を有している。
【０１０５】
（光モジュールパッケージ３００の作用効果）
以上のように、光モジュールパッケージ３００では、図１０に示したようにファイバユニット８９が第１、第２の保持部材７０、９０によって挟まれつつ保持され、その状態でハウジング１０６（ハウジング本体６０およびカバー体１００）に収容されている。
【０１０６】
ハウジング本体６０およびカバー体１００が、収容凹部６３，１０３の長さ方向両側にそれぞれファイバ受部６１ａ、６２ａおよびこれらと同様の図示しないファイバ受部を有する。そのため、光モジュールパッケージ３００では、光ファイバ部材６等を曲げることなく軸芯方向に沿って伸ばしたまま、ファイバユニット８９をハウジング１０６に収容できる。そのため、光モジュールパッケージ３００も、光モジュールパッケージ２００と同様、ファイバユニット８９をハウジング１０６に収容するにあたって、光ファイバ部材６等をチューブ状の部材に挿通する必要がないから、製造に要する手間や時間を軽減することができる。
【０１０７】
また、第１、第２の保持部材７０、９０がファイバユニット８９を係止した状態で収容しているから、ファイバユニット８９が第１、第２の保持部材７０、９０によってその動きを規制される。
【０１０８】
しかも、ハウジング本体６０の長手内壁部６３ｂｂ、６３ｂｂが第１の保持部材７０の長手端面７３ｂｂ、７３ｂｂに当接し、これらを係止している。カバー体１００の図示しない長手内壁部も、第２の保持部材９０における長手端面７３ｂｂと同様の長手端面に当接し、これらを係止している。そのため、第１、第２の保持部材７０、９０によって、光導波路デバイス８０の動きを規制できるだけでなく、ハウジング１０６によって、第１、第２の保持部材７０、９０が長手方向に動かないように、その動きを規制することもできる。
【０１０９】
また、段差凸部７０ｅが収容凹部６３に嵌合し、第２の保持部材９０の段差凸部９０ｅがカバー体１００の収容凹部１０３に嵌合する。さらに、接触端部７１、７２が浅底部６３ａ、６３ａに隙間なく嵌合し、同様に接触端部９１、９２がカバー体１００の図示しない浅底部に隙間なく嵌合する。そのため、第１、第２の保持部材７０、９０はハウジング１０６によって短手方向の動きも規制されている。
【０１１０】
したがって、光モジュールパッケージ３００は、ハウジング本体６０に第１の保持部材７０を収容した上で、ファイバユニット８９を収容し、その上から第２の保持部材９０をかぶせれば、あとはカバー体１００をかぶせてハウジング本体６０に装着するだけで製造することができる。したがって、光モジュールパッケージ３００も、光モジュールパッケージ２００と同様、ファイバユニット８９を接着剤や樹脂を用いてハウジング１０６に固定する必要がないので、製造に要する手間や時間を軽減することができる。
【０１１１】
さらに、カバー体１００のカバー係合部１０４を本体係合部６４に係合させることで、カバー体１００とハウジング本体６０とを接着剤や樹脂を用いることなく一体化できるから、製造に要する手間や時間をよりいっそう軽減できる。
【０１１２】
（変形例）
図１２〜図１４を参照して変形例に係る光モジュールパッケージ３００Ａについて説明する。光モジュールパッケージ３００Ａは、光モジュールパッケージ３００と比較して、ハウジング１０６、第１、第２の保持部材７０，９０、の代わりに、ハウジング１０６Ａ、第１、第２の保持部材７０Ａ，９０Ａを有する点で相違している。
【０１１３】
ハウジング１０６Ａは、ハウジング本体６０Ａとカバー体１００Ａとを有している。ハウジング本体６０Ａは、ハウジング本体６０と比較して、平端部６１、６２の代わりに平端部６１Ａ、６２Ａを有する点で相違している。平端部６１Ａ、６２Ａは、平端部６１、６２と比較して、それぞれファイバ受部６１ａ、６２ａの代わりにファイバ受部６６、６２ｂを有する点と、長手方向の長さが長い点とで相違している。ファイバ受部６６は、ファイバ受部６１ａよりも幅広である。ファイバ受部６６は、浅底部６３ａに接続され、浅底部６３ａと同じ幅に形成されている。ファイバ受部６２ｂはファイバ受部６２ａよりも長手方向の長さが長い。
【０１１４】
第１の保持部材７０Ａは、第１の保持部材７０と比較して、接触端部７１、７２の代わりに接触端部７１Ａ、７２Ａを有する点で相違している。接触端部７１Ａ、７２Ａは、接触端部７１、７２よりも長手方向の長さが長い。接触端部７１Ａは、一方の浅底部６３ａおよびファイバ受部６６に係合しつつ端部がファイバ受部６６から突出する。接触端部７２Ａは、一方の浅底部６３ａおよびファイバ受部６２ｂに係合しつつ端部がファイバ受部６２ｂから突出する。さらに、接触端部７１Ａ、７２Ａの両端部の間隔がハウジング６０Ａの長手方向の長さよりも長い。
【０１１５】
第１の保持部材９０Ａは、第１の保持部材９０と比較して、接触端部９１、９２の代わりに接触端部９１Ａ、９２Ａを有する点で相違している。接触端部９１Ａ、９２Ａは、接触端部９１、９２よりも長手方向の長さが長く、接触端部７１Ａ、７２Ａと共通する構造を有している。
【０１１６】
カバー体１００Ａは、カバー体１００と比較して、ファイバ受部６６に応じたファイバ受部１０５を有する点で相違している。
【０１１７】
以上のような光モジュールパッケージ３００Ａも、光モジュールパッケージ３００と同様に、ファイバユニット８９が第１、第２の保持部材７０Ａ、９０Ａによって挟まれつつ保持され、その状態でハウジング１０６Ａに収容されている。
【０１１８】
そして、接触端部７１Ａ、７２Ａの両端部の間隔がハウジング６０Ａの長手方向の長さよりも長い。そのため、第１、第２の保持部材７０Ａ、９０Ａをハウジング本体６０Ａに収容し、カバー体１００Ａをかぶせると、図１３、図１４に示すように、接触端部７１Ａ、９１Ａ、７２Ａ、９２Ａの端部がハウジング本体６０Ａおよびカバー体１００Ａから外側に張出し、張出端部７１Ｂ、９１Ｂ、７２Ｂ、９２Ｂになる。光モジュールパッケージ３００Ａでは、光ファイバ部材６、テープ状光ファイバ部材７が張出端部７１Ｂ、９１Ｂ、７２Ｂ、９２Ｂに接着剤１０７を用いて固着されている。
【０１１９】
このような光モジュールパッケージ３００Ａも、ファイバユニット８９を接着剤や樹脂を用いてハウジング１０６Ａに固定する必要がないので、製造に要する手間や時間をよりいっそう軽減することができる。
【０１２０】
加えて、光モジュールパッケージ３００Ａは、張出端部７１Ｂ等に光ファイバ部材６等が固着されているため、光ファイバ部材６等が曲がったときに光ファイバ部材６等がハウジング１０６Ａに接触しにくくなる。また、光ファイバ部材６等が第１、第２の保持部材７０Ａ、９０Ａの隙間に入り込むおそれもなくなる。
【０１２１】
なお、第１の保持部材７０，９０の代わりに、第１の保持部材１０，３０のように、側面部分が一部開放された保持部材を用いてもよい。
【０１２２】
第３の実施の形態
（光モジュールパッケージの構造）
まず、図１５〜図１７を参照して本発明の第３の実施の形態に係る光モジュールパッケージ４００の構造について説明する。ここで、図１５は本発明の第３の実施の形態に係る光モジュールパッケージ４００を示す分解斜視図、図１６は光モジュールパッケージ４００を短手方向中央で長手方向に沿って切断したときの断面図、図１７は光モジュールパッケージ４００の斜視図である。
【０１２３】
光モジュールパッケージ４００は、ハウジング本体１１０とカバー体１３０とを有するハウジング１３１と、ファイバユニット８９と、第１、第２の保持部材１２０（１２０Ａ，１２０Ｂ）とを有している。
【０１２４】
光モジュールパッケージ４００は、ハウジング本体１１０の２つの内傾斜部１１３ａａ、１１３ａａが第１の保持部材１２０Ａを係止して第１の保持部材１２０Ａの移動を規制する。これにより、光モジュールパッケージ４００は、ファイバユニット８９を接着剤や樹脂を用いてハウジング１３１に固定することなく、しかも、光ファイバをチューブ状の部材に挿通することなく製造できるため、製造に要する手間や時間を軽減できる。
【０１２５】
ハウジング本体１１０は、ハウジング本体６０と比較して、収容凹部６３の代わりに収容凹部１１３が形成されている点と、平端部６１、６２の代わりに平端部１１１、１１２が形成されている点とで相違している。
【０１２６】
収容凹部１１３は収容凹部６３と比較して、浅底部６３ａ、６３ａ、深底部６３ｂおよび係止凸部６３ｃの代わりに、浅底部１１３ａ、１１３ａ、深底部１１３ｂおよび係止凸部１１３ｃを有する点で相違している。浅底部１１３ａは浅底部６３ａと比較して、深底部１１３ｂにつながる部分が内傾斜部１１３ａａになっている点で相違している。内傾斜部１１３ａａは、収容凹部６３ａのような段差ではなく、浅底部１１３ａと深底部１１３ｂとを緩やかな下り傾斜状につなぐ傾斜面である。深底部１１３ｂ、係止凸部１１３ｃはそれぞれ深底部６３ｂ、係止凸部６３ｃと同様である。
【０１２７】
平端部１１１、１１２はそれぞれ平端部６１、６２よりも長手方向の長さが短い点と、ファイバ受部１１１ａ、１１２ａを有する点で相違している。ファイバ受部１１１ａ、１１２ａは、それぞれファイバ受部６１ａ、６２ａと比較して、長さが短い点で相違している。
【０１２８】
カバー体１３０は、ハウジング本体１１０と比較して、本体係合部６４の代わりにカバー係合部１０４を有する点で異なるが、その他は共通する構造を有している。カバー体１３０は、収容凹部１１３と同様の収容凹部１３３を有している。なお、カバー体１３０は表面の形状を変えるなどしてハウジング本体１１０と異なる形状にしてもよい。
【０１２９】
第１、第２の保持部材１２０Ａ，１２０Ｂは、第１、第２の保持部材７０、９０と同様、工業用ゴムパッキング材として使用されるクロロプレンゴム等の柔軟なゴム弾性を有する部材を用いて形成されている。
【０１３０】
第１、第２の保持部材１２０Ａ，１２０Ｂは、図示のように、板状に形成されている。前述したように、第１、第２の保持部材７０、９０は、それぞれハウジング本体６０、カバー体１００に応じた形状を有していた。これに対し、第１、第２の保持部材１２０Ａ，１２０Ｂは、外力が加わらない無外力状態で板状の部材であるが、それぞれハウジング本体１１０、カバー体１３０に応じた形状に変形する。
【０１３１】
（光モジュールパッケージ４００の作用効果）
光モジュールパッケージ４００では、ファイバユニット８９が第１、第２の保持部材１２０Ａ，１２０Ｂによって挟まれつつ保持され、その状態でハウジング１３１（ハウジング本体１１０およびカバー体１３０）に収容されている。
【０１３２】
光モジュールパッケージ４００でも、光モジュールパッケージ３００と同様に、光ファイバ部材６等を曲げることなく軸芯方向に沿って伸ばしたまま、ファイバユニット８９をハウジング本体１１０に収容できる。そのため、光モジュールパッケージ４００も、光モジュールパッケージ３００と同様、製造に要する手間や時間を軽減することができる。
【０１３３】
また、第１、第２の保持部材１２０Ａ，１２０Ｂは柔軟なゴム弾性を有する部材を用いて形成されている。そのため、第１、第２の保持部材１２０Ａ，１２０Ｂがファイバユニット８９を挟み込みながらハウジング本体１１０に収容され、そのハウジング本体１１０にカバー体１３０が装着されたときに、それぞれ収容凹部１１３，１３３に応じて変形しつつファイバユニット８９に密着する。
【０１３４】
この場合、第１、第２の保持部材１２０Ａ、１２０Ｂによって、ファイバユニット８９の動きが規制される。
【０１３５】
また、収容凹部１１３については、内傾斜部１１３ａａが第１の保持部材１２０Ａに当接して、摩擦によって第１の保持部材１２０Ａを係止する。収容凹部１３３についても、その内傾斜部が第２の保持部材１２０Ｂに当接して、摩擦によって第１の保持部材１２０Ｂを係止する。そのため、第１、第２の保持部材１２０Ａ、１２０Ｂが長手方向に動かないようにその動きをハウジング１３１によって規制することもできる。
【０１３６】
また、第１の保持部材１２０Ａが収容凹部１１３に嵌り込むことで、第１の保持部材１２０Ａの短手方向の動きも規制される。同様に、第２の保持部材１２０Ｂが収容凹部１３３に嵌り込むことで、第２の保持部材１２０Ｂの短手方向の動きも規制される。
【０１３７】
したがって、光モジュールパッケージ４００は、ハウジング本体１１０に第１の保持部材１２０Ａを収容した上で、ファイバユニット８９を収容し、その上から第２の保持部材１２０Ｂをかぶせれば、あとはカバー体１３０をかぶせてハウジング本体１１０に装着するだけで製造することができる。したがって、光モジュールパッケージ４００も、光モジュールパッケージ３００と同様、ファイバユニット８９を接着剤や樹脂を用いてハウジング１３１に固定する必要がないので、製造に要する手間や時間をよりいっそう軽減することができる。
【０１３８】
特に、光モジュールパッケージ４００は、板状の第１、第２の保持部材１２０Ａ，１２０Ｂを有するため、光モジュールパッケージ３００と異なった作用効果を奏する。
【０１３９】
前述した光モジュールパッケージ３００では、ハウジング１０６に応じた形状に加工された第１、第２の保持部材７０、９０を予め用意しておく必要があった。
【０１４０】
しかし、光モジュールパッケージ４００では、第１、第２の保持部材１２０Ａ，１２０Ｂが板状であり、これらを予めハウジング１３１に応じた形状に加工しておく必要がない。したがって、光モジュールパッケージ４００では、光モジュールパッケージ３００よりも製造に要する手間や時間を軽減できるし、製造コストも軽減できる。
【０１４１】
（変形例）
図１８〜図２０を参照して変形例に係る光モジュールパッケージ４００Ａについて説明する。光モジュールパッケージ４００Ａは、光モジュールパッケージ４００と比較して、ハウジング本体１１０、第１、第２の保持部材１２０Ａ，１２０Ｂ、カバー体１３０の代わりに、ハウジング本体１１０Ａ、第１、第２の保持部材１２２Ａ，１２２Ｂ、カバー体１３０Ａを有する点で相違している。
【０１４２】
ハウジング本体１１０Ａは、ハウジング本体１１０と比較して、平端部１１１、１１２の代わりに平端部１１１Ａ、１１２Ａを有する点で相違している。平端部１１１Ａ、１１２Ａは、平端部１１１、１１２と比較して、それぞれファイバ受部１１１ａ、１１２ａの代わりにファイバ受部１１６、１１２ｂを有する点と、長手方向の長さが長い点とで相違している。ファイバ受部１１６は、ファイバ受部１１１ａよりも幅広である。ファイバ受部１１６は、浅底部１１３ａに接続され、浅底部１１３ａと同じ幅に形成されている。ファイバ受部１１２ｂは浅底部１１３ａに接続され、浅底部１１３ａと同じ幅に形成されている。
【０１４３】
第１，第２の保持部材１２２Ａ、１２２Ｂは、第１，第２の保持部材１２０Ａ、１２０Ｂと比較して、長手方向の長さが長い点で相違している。第１，第２の保持部材１２２Ａ、１２２Ｂの長手方向の長さはハウジング１３１Ａよりも長い。
【０１４４】
カバー体１３０Ａは、カバー体１３０と比較して、ファイバ受部１１６に応じたファイバ受部１３５を有する点と、長手方向の長さが長い点で相違している。
【０１４５】
以上のような光モジュールパッケージ４００Ａでも、光モジュールパッケージ４００と同様に、ファイバユニット８９が第１、第２の保持部材１２２Ａ、１２２Ｂによって挟まれつつ保持され、その状態でハウジング１３１Ａに収容されている。
【０１４６】
そして、第１，第２の保持部材１２２Ａ、１２２Ｂの長手方向の長さがハウジング１３１Ａよりも長いため、第１、第２の保持部材１２２Ａ、１２２Ｂの長手方向の両側端部がハウジング１３１Ａから張出す。そのため、図１９，２０に示すように、光ファイバ部材６、テープ状光ファイバ部材７が接着剤１３６を用いてその張出している端部に固着されている。
【０１４７】
このような光モジュールパッケージ４００Ａも、ファイバユニット８９を接着剤や樹脂を用いてハウジング１３１Ａに固定する必要がないので、製造に要する手間や時間を軽減することができる。
【０１４８】
加えて、光モジュールパッケージ４００Ａは、第１，第２の保持部材１２２Ａ、１２２Ｂの張出している端部に光ファイバ部材６等が固着されているため、光ファイバ部材６等が曲がったときに光ファイバ部材６等がハウジング１３１Ａに接触しにくくなる。また、光ファイバ部材６等が第１、第２の保持部材１２２Ａ、１２２Ｂの隙間に入り込むおそれもなくなる。
【０１４９】
なお、前述のハウジング１３１において、収容凹部１１３が内傾斜部１１３ａａを有しているが、内傾斜部１１３ａａではなく、ハウジング６０のような段差構造を有していてもよい。
【０１５０】
第４の実施の形態
（光モジュールパッケージの構造）
まず、図２１〜図２５、図２７を参照して本発明の第４の実施の形態に係る光モジュールパッケージ５００の構造について説明する。ここで、図２１は本発明の第４の実施の形態に係る光モジュールパッケージ５００を示す分解斜視図、図２２は光モジュールパッケージ５００を短手方向中央で長手方向に沿って切断したときの断面図である。図２３は、ハウジング本体１５１およびカバー体１５２のそれぞれを一部省略して示した斜視図である。図２４は、光モジュールパッケージ５００の要部を示した正面図、図２５は同じく斜視図である。図２７は、第１の保持部材１６０を示す斜視図である。
【０１５１】
光モジュールパッケージ５００は、ハウジング本体１５１とカバー体１５２とを有するハウジング１５１Ａと、ファイバユニット９９と、第１の保持部材１６０と、第２の保持部材１７０とを有している。
【０１５２】
光モジュールパッケージ５００は、ハウジング本体１５１の底係止突起１５４と、カバー体１５２の天端係止突起１５９とが、それぞれ第１の保持部材１６０、第２の保持部材１７０を係止してそれらの動きを規制する。これにより、光モジュールパッケージ５００は、ファイバユニット９９を接着剤や樹脂を用いてハウジング１５１Ａに固定することなく、しかも、光ファイバをチューブ状の部材に挿通することなく製造できるため、製造に要する手間や時間を軽減できる。
【０１５３】
ハウジング本体１５１は、前述したハウジング本体１と同様の概ねＵ字状に形成されたＵ字状体である。ハウジング本体１５１は、ハウジング本体１と比較して、２つの底係止突起４の代わりに４つの底係止突起１５４が形成されている点と、壁係止突起３の代わりに係止孔１５３が形成されている点と、位置合わせ部１８１が形成されている点とで相違している。
【０１５４】
各底係止突起１５４は底部１ａを外側から内側に向かって局所的に突出させるなどして形成されている。底係止突起１５４は、底係止突起４と異なり、４つすべてが第１の保持部材１６０の底部１６０ｅに当接する位置に配置されている。４つのうち２つが底部１ａの長手方向両側付近に配置され、残り２つが長手方向中央付近に配置されている。
【０１５５】
係止孔１５３は、本体壁部１ｂ、１ｃの一部を矩形状に切り欠くなどして形成した貫通孔である。係止孔１５３は本体壁部１ｂ、１ｃにそれぞれ３つずつ形成されている。各係止孔１５３は本体壁部１ｂ、１ｃの長手方向に沿ってほぼ等間隔に配置されている。
【０１５６】
位置合わせ部１８１は、本体壁部１ｂ、１ｃをそれぞれ外側から内側に向かって局所的に突出させるなどして形成されている。位置合わせ部１８１は、本体壁部１ｂ、１ｃそれぞれの長手方向両側付近の、後述する縮幅部１６１ｆ、１６３ｆに応じた位置に形成されている。
【０１５７】
カバー体１５２は、前述したカバー体２と同様の概ねＵ字状に形成されたＵ字状体である。カバー体１５２は、カバー体２と比較して、４つの天端係止突起１５９が形成されている点と、係合突起８の代わりに係合爪１５８が形成されている点と、位置合わせ部１８２が形成されている点とで相違している。
【０１５８】
天端係止突起１５９は、前述した底係止突起４と同様に、天端部１５２ａを外側から内側に向かって局所的に突出させるなどして形成されている。また、４つすべてが第２の保持部材１７０の底部１７０ｅに当接する位置に配置されている。４つのうち２つが天端部１５２ａの長手方向両側付近に配置され、残り２つが長手方向中央付近に配置されている。
【０１５９】
そして、光モジュールパッケージ５００では、カバー体１５２をハウジング本体１５１にかぶせたときに、４つの天端係止突起１５９と、４つの底係止突起１５４とがそれぞれ天端部１５２ａから本体底部１ａに向かう上下方向に沿って対向する。こうして、光モジュールパッケージ５００では、図２２に示すように、各天端係止突起１５９と、各底係止突起１５４とによって挟まれたスペース１７６が確保されるので、このスペース１７６が第１、第２の保持部材１６０，１７０の収容スペースに設定されている。
【０１６０】
また、光モジュールパッケージ５００では、４つの底係止突起１５４の配置パターンと、４つの天端係止突起１５９の配置パターンとが共通している。すなわち、底係止突起１５４の個数と、天端係止突起１５９の個数とがともに４つで等しく、各底係止突起１５４の位置関係（底部１ａ上の位置）と、各天端係止突起１５９の位置関係（天端部１５２ａ上の位置）とが共通している。これにより、図２３に示すように、各天端係止突起１５９が各底係止突起１５４と対向する位置に配置されている。そのため、光モジュールパッケージ５００において、各天端係止突起１５９と各底係止突起１５４とを結ぶ直線を考えると、この直線は本体底部１ａおよび天端部１５２ａと直交している。
【０１６１】
さらに、ハウジング本体１５１と、カバー体１５２は、底係止突起１５４と、天端係止突起１５９の配置に関する偏在配置構造を有している。本実施の形態において、偏在配置構造とは、底係止突起１５４と、天端係止突起１５９とがそれぞれ本体底部１ａ、天端部１５２ａ上に均等な間隔をおいて配置されるのではなく、特定の位置に偏って配置された構造を意味している。光モジュールパッケージ５００の場合、偏在配置構造とは、底係止突起１５４等が、後述する第１，第２の保持部材１６０，１７０のデバイス係止部１６４ａ，１７４ａに応じた位置に配置されるが、コネクタ係止部１６４ｂ、１７４ｂに応じた位置には配置されない構造を意味している（図２２参照）。
【０１６２】
光モジュールパッケージ５００では、カバー体１５２をハウジング本体１５１にかぶせると、本体壁部１ｂ、１ｃの本体底部１ａにつながらない開放端部１ｅに天端部１５２ａを接触させることができる。そのときに、各天端係止突起１５９と、対応する各底係止突起１５４との上下方向に沿った間隔（それぞれの最も突出している部分の間隔）が、第１、第２の保持部材１６０，１７０における２つの底面１６０ｅ，１７０ｅの配置間隔よりもわずかに小さくなる。
【０１６３】
係合爪１５８は、カバー壁部１５２ｂ、１５２ｃに概ねＴ字状の切り込みを入れ、その下端部を折り目にして切り込みの内側をカバー壁部１５２ｂ、１５２ｃの内側に折り曲げて形成した爪状の部分である。各係合爪１５８は、カバー壁部１５２ｂ、１５２ｃにそれぞれに３つずつ形成され、ハウジング本体１５１の係止孔１５３に対応した位置に配置されている。そのそれぞれは、係止孔１５３に応じた大きさに形成されている。
【０１６４】
位置合わせ部１８２は、カバー壁部１５２ｂ、１５２ｃをそれぞれ外側から内側に向かって局所的に突出させるなどして形成されている。位置合わせ部１８２は、ハウジング本体１５１の位置合わせ部１８１に対応した位置に配置され、そのそれぞれの形状も位置合わせ部１８１に対応している。カバー体１５２をハウジング本体１５１にかぶせると、各位置合わせ部１８２が各位置合わせ部１８１に外側から係合する。
【０１６５】
第１の保持部材１６０は、図２７に詳しく示すように、第１の保持部材１０と比較して、凸部１１，１３の代わりに凸部１６１、１６３を有する点と、デバイス受部１６４を有する点とで相違している。第１の保持部材１６０の底面１６０ｅは、後述する底面１７０ｅとともに本発明における対向表面に相当している。
【０１６６】
凸部１６１は、その表面にファイバ受部１１ａと同様のファイバ受部１６１ａが形成されている。また、凸部１６１は、側面１０ｃ、１０ｄと同様の側面１６０ｃ、１６０ｄを有し、デバイス受部１６４につながる部分が幅の狭い縮幅部１６１ｆとなっている。
【０１６７】
凸部１６３は、その表面１６３にファイバ受部１３ａと同様のファイバ受部１６３ａが形成されている。また、凸部１６３は、側面１０ｃ、１０ｄと同様の側面１６０ｃ、１６０ｄを有し、デバイス受部１６４につながる部分が幅の狭い縮幅部１６３ｆとなっている。
【０１６８】
デバイス受部１６４は、デバイス係止突起１６４ａと、コネクタ係止突起１６４ｂと、ベース部１６４ｃとを有している。デバイス係止突起１６４ａはベース部１６４ｃ上に、その長手方向中央に形成され、ベース部１６４ｃよりも幾分厚さを大きくし、幅も大きくした部分である。コネクタ係止突起１６４ｂは、ベース部１６４ｃ上のデバイス係止突起１６４ａの両側の、デバイス係止突起１６４ａから離れた位置に１つずつ形成されている。ベース部１６４ｃは、縮幅部１６１ｆと縮幅部１６３ｆとをつなぐ厚さのうすい帯状の部分である。
【０１６９】
第２の保持部材１７０は、第２の保持部材３０と比較して、凸部３１、３３の代わりに凸部１７１、１７３を有する点と、デバイス受部１７４を有する点とで相違している。
【０１７０】
凸部１７１は、その表面にファイバ受部３１ａと同様のファイバ受部１７１ａが形成されている。また、凸部１７１は、側面３０ｃ、３０ｄと同様の側面１７０ｃ、１７０ｄを有し、デバイス受部１７４につながる部分が幅の狭い縮幅部１７１ｆとなっている。
【０１７１】
凸部１７３は、その表面にファイバ受部３３ａと同様のファイバ受部１７３ａが形成されている。また、凸部１７３は、側面３０ｃ、３０ｄと同様の側面を有し、デバイス受部１７４につながる部分が幅の狭い縮幅部１７３ｆとなっている。
【０１７２】
デバイス受部１７４は、デバイス係止突起１７４ａと、コネクタ係止突起１７４ｂと、ベース部１７４ｃとを有している。デバイス係止突起１７４ａはベース部１７４ｃ上に、その長手方向中央に形成され、ベース部１７４ｃよりも幾分厚さを大きくし、幅も大きくした部分である。コネクタ係止突起１７４ｂは、ベース部１７４ｃ上のデバイス係止突起１７４ａの両側の、デバイス係止突起１７４ａから離れた位置に１つずつ形成されている。ベース部１７４ｃは、縮幅部１７１ｆと縮幅部１７３ｆとをつなぐ厚さのうすい帯状の部分である。
【０１７３】
第１、第２の保持部材１６０、１７０は、凸部１６１と凸部１７１、凸部１６３と凸部１７３の表面をそれぞれ直に接触させながら対向させることができる。すると、ファイバ受部１６１ａ、１７１ａと、デバイス受部１６４、１７４と、ファイバ受部１６３ａ、１７３ａとが一つにつながった空間を形成する。この空間はユニット収容部１５と同様、ファイバユニット９９をデバイス受部１６４，１７４等により係止した状態で収容し得る形状である。
【０１７４】
ファイバユニット９９は、光導波路デバイス９５に光ファイバ部材６と、テープ状光ファイバ部材７とが接続され、これらが一つにまとまっている。光導波路デバイス９５は、光導波路基板９５ａと、ファイバコネクタ９５ｂ、９５ｃとを有し、これらが一体となった構造を有している。
【０１７５】
光導波路基板９５ａは、光導波路基板５ｂと外形が異なるが、光導波路基板５ｂと同様の光導波路が形成されている。光導波路基板９５ａは、例えばアルミナ結晶体によって形成されている。ファイバコネクタ９５ｂ、９５ｃは、ファイバコネクタ５ｃ、５ｄと外形が異なるが，ファイバコネクタ５ｃ、５ｄと同様に図示しない接着剤を用いて光導波路基板９５ａに固定されている。ファイバコネクタ９５ｂ、９５ｃは、例えば石英を用いて形成されている。
【０１７６】
以上のような一対の第１、第２の保持部材１６０、１７０およびファイバユニット９９がハウジング本体１５１に収容され、その上からカバー体１５２をかぶせることによって、光モジュールパッケージ５００が構成されている。
【０１７７】
この場合、例えばまず、第１の保持部材１６０をハウジング本体１５１に収容し、続いて、その第１の保持部材１６０にファイバユニット９９を収容する。次に、第２の保持部材１７０を第１の保持部材１６０に重ね合わせ、ファイバユニット９９を第１、第２の保持部材１６０、１７０によって挟みつつ保持する。それから、ハウジング本体１５１にカバー体１５２をかぶせ、各係合爪１５８を係止孔１５３に嵌め込んで係合させる。こうすると、光モジュールパッケージ５００が完成する。
【０１７８】
（光モジュールパッケージ５００の作用効果）
以上のように、光モジュールパッケージ５００は、光モジュールパッケージ２００と同様の概ねＵ字状のハウジング１５１Ａによってファイバユニット９９を保持しているから、光モジュールパッケージ２００と同様に、製造に必要とされる手間や時間を軽減することができる。
【０１７９】
また、４つの底係止突起１５４すべてが第１の保持部材１６０の底部１６０ｅに当接する位置に配置され、４つの天端係止突起１５９すべてが第２の保持部材１６０の底部１７０ｅに当接する位置に配置されている。そのため、第１、第２の保持部材１６０，１７０をハウジング本体１５１に収容し、その上からカバー体１５２をかぶせると、４つの底係止突起１５４、天端係止突起１５９によって、第１、第２の保持部材１６０，１７０を挟み込むようにして保持することができる。
【０１８０】
そのため、光モジュールパッケージ５００では、底係止突起１５４と、天端係止突起１５９とによって、第１、第２の保持部材１６０，１７０を、長手方向はもちろん、短手方向にも動かないように動きを規制できる。
【０１８１】
しかも、各天端係止突起１５９と、各底係止突起１５４との間隔が、第１、第２の保持部材１６０，１７０の底面１６０ｅ，１７０ｅの配置間隔よりもわずかに小さい。したがって、４つの底係止突起１５４、天端係止突起１５９が単に底部１６０ｅ、１７０ｅに当接するだけでなく、食い込みながらこれらを押圧するから、第１、第２の保持部材１６０，１７０をより強固に保持することができる。
【０１８２】
また、デバイス受部１６４，１７４のデバイス係止突起１６４ａ、１７４ａと、コネクタ係止突起１６４ｂ，１７４ｂとによって、光導波路基板９５ａと、ファイバコネクタ９５ｂ、９５ｃとを別々に係止している。光導波路基板９５ａと、ファイバコネクタ９５ｂ、９５ｃとは異なった材料で形成されているため、温度変化に伴い伸縮する大きさが異なる。
【０１８３】
したがって、仮に、光導波路基板９５ａとファイバコネクタ９５ｂ、９５ｃとに、ひとつにつながった平面を接触させたとすると、伸縮する大きさの相違に伴うひずみがその平面に発生するなどのため、その平面が光導波路基板９５ａ等を保持する力が低下するおそれがある。この点、光モジュールパッケージ５００では、光導波路基板９５ａに接するデバイス係止突起１６４ａ、１７４ａと、ファイバコネクタ９５ｂ、９５ｃに接するコネクタ係止突起１６４ｂ，１７４ｂとが離れた位置に形成されているため、光導波路基板９５ａとファイバコネクタ９５ｂ、９５ｃの伸縮する大きさの相違に伴う保持力低下のおそれはない。
【０１８４】
しかも、底係止突起１５４、天端係止突起１５９が偏在配置構造で配置されている。光導波路基板９５ａと、ファイバコネクタ９５ｂ、９５ｃとは、温度変化に伴い伸縮する大きさが異なる。そのため、コネクタ係止部１６４ｂ、１７４ｂに応じた位置にも底係止突起１５４、天端係止突起１５９を形成すると、底係止突起１５４、天端係止突起１５９と、第１，第２の保持部材１６０，１７０との接触部分に、伸縮する大きさの相違に伴うひずみが発生しやすく、これによって、ハウジング本体１５１およびカバー体１５２の保持力が低下するおそれがある。
【０１８５】
しかし、光モジュールパッケージ５００では、底係止突起１５４、天端係止突起１５９が偏在配置構造で配置されているため、上記のような保持力低下のおそれはなく、ハウジング本体１５１およびカバー体１５２によって、第１、第２の保持部材１６０，１７０を確実に保持することができる。
【０１８６】
さらに、ハウジング本体１５１とカバー体１５２がそれぞれ位置合わせ部１８１，１８２を有するため、ハウジング本体１５１とカバー体１５２の位置合わせが簡単かつ確実に行える。
【０１８７】
また、位置合わせ部１８１，１８２は、それぞれハウジング本体１５１とカバー体１５２の内側に突出しているが、縮幅部１６１ｆ、１６３ｆに応じた位置に形成されているから、第１、第２の保持部材１６０，１７０には接触しない。位置合わせ部１８１，１８２を第１、第２の保持部材１６０，１７０に接触する位置に形成した場合、位置合わせ部１８１，１８２からの押圧に伴う第１、第２の保持部材１６０，１７０の形状等の変化によって、底係止突起１５４、天端係止突起１５９が第１、第２の保持部材１６０，１７０を押圧する力が変化し、ハウジング本体１５１とカバー体１５２が第１、第２の保持部材１６０，１７０を保持する力が全体として低下するおそれがある。
【０１８８】
しかし、光モジュールパッケージ５００では、第１、第２の保持部材１６０，１７０が位置合わせ部１８１，１８２から押圧されることがないため、ハウジング本体１５１とカバー体１５２の保持力が低下することもない。
【０１８９】
そして、各天端係止突起１５９の配置パターンと、各底係止突起１５４の配置パターンとが共通している。そのため、図２４に示すように、各天端係止突起１５９から第２の保持部材１７０にかかる圧力ｆ１５９と、各底係止突起１５４から第１の保持部材１６０にかかる圧力ｆ１５４とは、方向が反対で大きさがほぼ等しく、反対方向から同じ位置に向かう。そのため、圧力ｆ１５９と圧力ｆ１５４とが互いに打ち消し合い、モーメント（ｍｏｍｅｎｔ）を形成しないので、ハウジング１５１Ａによって第１、第２の保持部材１６０，１７０をより安定的に保持することができる。
【０１９０】
以上のように、光モジュールパッケージ５００は、ファイバユニット９９を接着剤や樹脂を用いてハウジング１５１Ａに固定する必要がないので、製造に要する手間や時間を軽減することができる。
【０１９１】
（変形例）
図２６を参照して変形例に係る光ジュールパッケージ５００Ａについて説明する。光ジュールパッケージ５００Ａは、光ジュールパッケージ５００と比較して、第１、第２の保持部材１６０、１７０の代わりに第１、第２の保持部材１６０Ａ、１７０Ａを有する点で相違している。第１、第２の保持部材１６０Ａ、１７０Ａは、第１、第２の保持部材１６０、１７０よりも凸部１６１、１６３、１７１，１７３の長手方向の長さが大きく形成されているため、第１、第２の保持部材１６０Ａ、１７０Ａの長手方向の端部がハウジング１５１Ａから張出している。
【０１９２】
そして、光ジュールパッケージ５００Ａでは、光ファイバ部材６等が、第１、第２の保持部材１６０Ａ、１７０Ａの張出している部分に接着剤１６７を用いて固着されている。
【０１９３】
このような光モジュールパッケージ５００Ａも、ファイバユニット９９を接着剤や樹脂を用いてハウジング１５１Ａに固定する必要がないので、製造に要する手間や時間をよりいっそう軽減することができる。
【０１９４】
加えて、光モジュールパッケージ５００Ａは、光モジュールパッケージ３００Ａと同様に、光ファイバ部材６等が曲がったときに光ファイバ部材６等がハウジング１５１Ａに接触しにくいし、光ファイバ部材６等が第１、第２の保持部材１６０Ａ、１７０Ａの隙間に入り込むおそれもない。
【０１９５】
光モジュールパッケージ５００、５００Ａでは、底係止突起１５４と天端係止突起１５９がそれぞれ４つずつ形成されていた。底係止突起１５４と天端係止突起１５９は少なくとも１つずつ形成されていればよい。
【０１９６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【産業上の利用可能性】
【０１９７】
本発明を適用することにより、ファイバユニットを接着剤や樹脂を用いてハウジングに固定する必要がなく、光ファイバをチューブ状の部材に挿通することもなく光モジュールパッケージを製造できるようになり、製造に要する手間や時間を軽減できる。本発明は、光導波路デバイスと光ファイバとを接続し、ハウジング内に収容した光モジュールパッケージに利用することができる。
【符号の説明】
【０１９８】
１，６０，６０Ａ，１１０，１１０Ａ，１５１…ハウジング本体、２，１００，１００Ａ，１３０，１３０Ａ，１５２…カバー体、１Ａ，１０６，１０６Ａ，１３１，１３１Ａ，１５１Ａ…ハウジング、１ａ…本体底部、１ｂ，１ｃ…本体壁部、２ａ，１５２ａ…天端部、２ｂ、２ｃ…カバー壁部、３…壁係止突起、４，１５４…底係止突起、５…光導波路デバイス、５ａ…光導波路、６…光ファイバ部材、７…テープ状光ファイバ部材、８…係合突起、９，８９，９９…ファイバユニット、１０，４０，７０，７０Ａ，１２０Ａ，１２２Ａ，１６０，１６０Ａ…第１の保持部材，３０，５０，９０，９０Ａ，１２０Ｂ，１２２Ｂ，１７０，１７０Ａ…第２の保持部材、１５…ユニット収容部、６３ｂｂ…長手内壁部、１０３…ユニット保持部材、１５９…天端係止突起、１６４，１７４…デバイス受部、２００，３００，３００Ａ，４００，４００Ａ，５００，５００Ａ…光モジュールパッケージ。
【図１】
2014215607.tif 000003
【図２】
2014215607.tif 000004
【図３】
2014215607.tif 000005
【図４】
2014215607.tif 000006
【図５】
2014215607.tif 000007
【図６】
2014215607.tif 000008
【図７】
2014215607.tif 000009
【図８】
2014215607.tif 000010
【図９】
2014215607.tif 000011
【図１０】
2014215607.tif 000012
【図１１】
2014215607.tif 000013
【図１２】
2014215607.tif 000014
【図１３】
2014215607.tif 000015
【図１４】
2014215607.tif 000016
【図１５】
2014215607.tif 000017
【図１６】
2014215607.tif 000018
【図１７】
2014215607.tif 000019
【図１８】
2014215607.tif 000020
【図１９】
2014215607.tif 000021
【図２０】
2014215607.tif 000022
【図２１】
2014215607.tif 000023
【図２２】
2014215607.tif 000024
【図２３】
2014215607.tif 000025
【図２４】
2014215607.tif 000026
【図２５】
2014215607.tif 000027
【図２６】
2014215607.tif 000028
【図２７】
2014215607.tif 000029
【図２８】
2014215607.tif 000030